(57)【要約】【課題】  従来は，インターネット接続するテレビ用のポータルサイトがあるが，メニューやコンテンツの表示方法などがパソコン向けのヒューマンインタフェースから脱却できず，テレビ視聴者向けになっていない。また各サイトは独自メニューで誘導しており統一的な操作で所望の情報にたどり着くことは期待できず，さらにホワイトリストを採用していないことから優良でない番組が表示される可能性があった。【解決手段】  ウェブサイトの優良な情報のＵＲＬのみを収集し，範疇分けすると共に，数回程度と少ない選択操作で情報に到達できるように階層化したホワイトリストと，統一した操作で番組選択・表示できる専用のブラウザをお茶の間のテレビとパソコンから構成される視聴者端末にインストールするソフトとして用意して，ウェブサイト上の優良な映像・音楽情報を安心して視聴できる環境を実現する。【選択図】図２
2011060253.tif 000002
【特許請求の範囲】
【請求項１】
インターネット上のウェブサイトを検索して、パソコンや家庭のテレビに表示して閲覧するウェブ閲覧システムにおいて、インターネット上に設置されたウェブサーバと視聴者用パソコンの間にＵＲＬサーバシステムを設置し、該ＵＲＬサーバシステム内にホワイトリストを設けることを特徴とするウェブ閲覧システム。
【請求項２】
ＵＲＬサーバシステム内にマルチスクリーン表示機能のある表示装置を有し、一般のポータルサイトにキーワードを送り検索する機能を有して、コンテンツをマルチ表示することで優良コンテンツを選び出す仕組みと、ＵＲＬサーバ内にウェブサイトを自動スキャンして収集してきたＵＲＬのサイト情報をマルチスクリーン表示して優良コンテンツを選び出す仕組みとを有し、これら二つの仕組みを自由に選択して用い、然るのちにホワイトリストに必要な情報を登録する機能を有する第１項記載のウェブ閲覧システム。
【請求項３】
ＵＲＬサーバシステム内のホワイトリストを新しい状態に保つために、既存のホワイトリストに記載のＵＲＬからウェブサイトを自動検索して、該ウェブサイトのコンテンツの変更の有無を抽出し、それに対応してホワイトリストを改廃する機能を有する第１項記載のウェブ閲覧システム。
【請求項４】
コンテンツが蓄積されたウェブサイトの内容の適切さ，該サイトおよび情報掲載のＵＲＬの廃止・新設などの監視，監視結果から視聴するにふさわしい優良サイトのＵＲＬ情報を番組として範疇分けしたホワイトリストの作成・登録，および日々の監視による登録済みサイトの継続的な優良性の確認，不適切内容のサイトおよびサイト廃止の確認，優良新設サイトの確認などからホワイトリストの改廃を行う仕組みと，範疇名，提供名，タイトル名，ＵＲＬのリストから構成されるホワイトリストと，該ホワイトリストの蓄積と，番組メニューの視聴者端末への送信と，選択された番組のサイトのＵＲＬにリンク接続する機能を有するＵＲＬサーバと，前記サーバから送られてくる番組メニューを表示する機能と，番組選択機能と，該選択した番組メニューの情報を前記サーバに送信してリンク接続されたサイトからのコンテンツを視聴できるようにする機能を有したブラウザをインストールした視聴者端末から構成されることを特徴とする第１項記載のウェブ閲覧システムおよびその利用方法。
【請求項５】
番組に合った画面表示サイズの情報を加えた前記ホワイトリストと，画面表示サイズにもとづいて視聴者端末に表示サイズ指定情報を送信する機能を加えたＵＲＬサーバと，表示サイズ指定情報に従ってコンテンツ表示エリアを可変にする機能を備えたブラウザをインストールした視聴者端末から構成されることを特徴とする第１項記載のウェブ閲覧システムおよびその利用方法。
【発明の詳細な説明】
【技術分野】
【０００１】  本発明は、専用のブラウザを用いて範疇分けされた優良なウェブサイト上の映像・音楽などの情報を簡易な操作で閲覧できるようにするＵＲＬサーバとその利用方法に関するものである。
【背景技術】
【０００２】  インターネット上のウェブ情報には，例えば年少者が閲覧するには不適切な情報が存在しており，フィルタリング技術を駆使して不適切なサイトの情報を判断してブラックリストを作成・登録し，該ブラックリストに登録されたサイトを閲覧させないようにする方法（この方法自体をフィルタリングソフトウェアと呼ぶこともある。）や，フィルタリング技術を駆使してコンテンツの中味を調べ不適切な情報を含んでいないサイトのみを掲載したホワイトリストを作成・登録して，該ホワイトリストに登録されたサイトのみを閲覧できるようにして，不適切な情報から隔離することが行われてきた。【０００３】  しかし，コンテンツの中味についてキーワードなどを用いたフィルタリングによって日々更新されるサイトの不適切さを発見する方法では，サイト作成者に不適切なキーワードを用いないでそのフィルタをすり抜けるような工夫を施されることがあり，年少者が不適切なサイトを閲覧できてしまうことがあった。つまりフィルタリング技術を使用してサイトの閲覧を抑止する方式では不適切な情報の閲覧を完全に遮断することは困難であった。【０００４】  次に、インターネット上のパソコン用ポータルサイトが持つヒューマンインタフェースの操作の難しさについて説明する。例えば、キーワードを入力して、関連するウェブサイトの候補を検索すると、数千万程度の多くの候補ＵＲＬが出力されるので、その中から自分が見る対象を絞り込むための追加キーワードを投入し、この操作を数回繰返して希望するＵＲＬに辿り着くような操作が行われている。また、ニュースや映画などのカテゴリが明確な情報を閲覧するには，各ポータルサイトが設定している独自のアクセス方法に従って閲覧することが必要であり，それぞれのサイトを統一的な操作で所望の情報にたどり着くことは期待できなかった。【０００５】  そのために、映像コンテンツなどの共通的なコンテンツを集めている映像ポータルサイトの場合には、映像を大分類や中分類された範疇に区分して、その範疇を選んで検索する方法が用いられる。しかし、各ポータルサイト内では情報の範疇分けされているが，サイト間で見ると必ずしも同一の範疇で範疇分けされているわけではない。つまり特定の範疇の情報を複数のサイト間にまたがって検索（ネットサーフィン）しようとしても該当する情報を簡単に閲覧することは容易ではなかった。そのために，動画や音楽などのコンテンツを掲載しているサイトを対象にした既存のポータルサイトの場合，パソコンに不慣れな利用者が利用しづらいだけでなく、慣れた利用者でもかなり利用するために手間が必要であった。【０００６】  また各ウェブサイトではサイト独自の表示方法で視聴する方式であるため，複数サイトから同一範疇の情報を束ねてそのＵＲＬを収集して統一的にアクセスできるようにしたとしても，画面上のコンテンツ自身の表示サイズが異なるなど統一性の無い表示方法を受け容れざるを得ない状況があった【０００７】  一方，インターネットへの接続が可能なテレビを対象としたポータルサイトとしてアクトビラの例などがあるが，メニューの提示方法，メニューの階層構造，接続サイトの表示方法などはパソコン用ポータルサイトのヒューマンインタフェースと類似のものが採用されているため、パソコンに不慣れな利用者には利用しづらい面があった。
【発明の開示】
【発明が解決しようとする課題】
【０００８】  インターネット上の映像や音楽コンテンツのうち年少者に不適切なものを排除（フィルタリング）して、優良なコンテンツのＵＲＬのみを収集して、多くのコンテンツを代表的範疇に分類し、その分類された範疇を選択することで年少者が優良コンテンツのみを選択し、該コンテンツのみを鑑賞する仕組みを提供する。そのために本発明では、いわゆるホワイトリスト方式を基盤に採用しているが、インターネット上のコンテンツは発信者の都合で改廃されるため、閲覧者が廃止済のコンテンツを表示したり、別の範疇のコンテンツとして選択する可能性がある。コンテンツの改廃を予め素早く掌握し、ホワイトリストに反映して  改廃されたコンテンツの選別を正さなければ、閲覧の操作は徒労に終わる。【０００９】  また、閲覧者のパソコン操作の知識が不足の場合、インターネット上の優良なコンテンツに到達できない。そのために、知識不足の閲覧者が用いるブラウザは、その知識レベルに合わせて、数回のクリック操作の繰返しで利用できるブラウザ環境が用意されなければならない。さらに、閲覧者が利用するブラウザを操作容易にすると共に、ウェブサイトを選別する機能を柔軟化するために以下に詳しく述べるＵＲＬサーバシステムを利用する。該ＵＲＬサーバシステムは、新規優良コンテンツの登録、既存コンテンツの改廃を早期に察知しホワイトリストを更新するなどの役割を担うことができる。【００１０】  以上の構成を用いれば、視聴者は画面クリックのような簡単な操作によって、インターネット上に存在する優良コンテンツを統一的操作により閲覧することができ、お茶の間の大型テレビを用いる場合、家族団欒における会話を妨げることなく、優良のコンテンツを閲覧し、家族の話題を優良コンテンツに集中させ、団欒を盛り上げることを目的としている。
【課題を解決するための手段】
【００１１】  本発明は上記目的を達成するために、インターネット上に存在する映像や音楽などのコンテンツを閲覧する際に、誰もが観賞したいと思うような番組として予め定めた個数に範疇分けした範疇をキーワードとしてインターネット上に存在するコンテンツを周期的に取得して自動的にデータベース化するクローラ（Ｃｒａｗｌｅｒ）を用いて自動検索し、該コンテンツをディスプレイ上のマルチスクリーンへ同時並列的に表示して、該コンテンツが優良か否かを短時間で判断可能とし、または自動検索したコンテンツに対してフィルタリング処理または全文検索によるキーワードの頻度分類によって優良候補のサイトを判断可能とし、年少者が閲覧する上で優良と判断されたウェブサイトのコンテンツについて該コンテンツが収納されるべきカテゴリを先のキーワードを参考にして自動または人手アシストにより決定の上、階層的カテゴリ情報の作成を完了させ該コンテンツのＵＲＬを自動的に収集または改廃する機能と，該ＵＲＬサイトに含まれる優良コンテンツを高い階層から低い階層へ辿り数回程度と少ないクリックによる選択操作で視聴できるように予め階層化したホワイトリストに組込み、このような簡易な操作の繰返しでコンテンツ閲覧を可能とする機能を含み、この二つの機能を組合せて、簡易な操作でコンテンツを通常のパソコンのディスプレイやお茶の間の大型テレビに表示することにより、インターネット上の優良なコンテンツを家族団欒の場で安心して視聴可能にするものである。
【発明の効果】
【００１２】  上述したように本発明では，ホワイトリストを静的に記憶させて優良性を確保するのではなく，ホワイトリストに掲載されたサイトとコンテンツなどをＵＲＬサーバ上で日々監視することを通してホワイトリストをダイナミックに維持・更新することによって，インターネット上の優良なサイトの情報のみが視聴できる環境を実現できると共に，範疇分けと階層化したホワイトリストにもとづいて番組メニューを作成表示するため統一的な簡易な操作と，操作回数も少ないヒューマンインタフェースが実現でき，さらにＵＲＬサーバから視聴者端末へのコンテンツ表示サイズを制御することによって番組に合った適切なサイズの表示が可能となる。また視聴者が視聴者端末にインストールされた専用のブラウザにより、範疇分けされた番組メニューの画面を，階層的に下位の番組メニューへと辿るために必要な情報を前記ＵＲＬサーバ側で作成・送信するようにすることによってサイトの新設、廃止などへの対処が視聴者の手を煩わせることなくＵＲＬサーバ側のみの更新で簡易にできる効果が得られる。
【発明を実施するための最良の形態】
【００１３】  以下，本発明の実施の形態を図１〜図６に基づいて説明する。【００１４】  まずインターネット上のウェブサイトの内容の適切さの評価・判断，サイトの新設・廃止などをＵＲＬサーバで監視してその結果から優良なサイトのＵＲＬ情報（コンテンツの存在するＵＲＬ情報）を収集・登録するホワイトリストの構成を説明する。【００１５】  図１の１は階層化したホワイトリストの構成例であり，１１は優良と判断されたウェブサイトのコンテンツの内容を１６個に範疇分けした範疇名リストであって最上位の階層に属するリストである。１２は範疇名リスト１１の一つの範疇のコンテンツを提供組織などの属性を元に分けた提供名を格納した提供名リストであって第２位の階層に属するリストである。１３は提供名リスト１２の一つの提供名のコンテンツのタイトル名を格納したタイトル名リスト，１４はタイト名リスト１３の各タイトルのコンテンツを収容したＵＲＬを格納するＵＲＬリスト，１５はコンテンツの表示エリアのサイズを格納した表示エリアリストである。なお、タイトル名リスト１３とＵＲＬリスト１４は１対１に対応している。【００１６】  図２は本発明を実現するためのシステム構成例である。２１はインターネット，２２はサイト２２１，２２２，２２３などからなるインターネットに接続されたウェブサイト，２３は優良なコンテンツサイトのＵＲＬを自動収集して、階層化したホワイトリスト１を蓄積・更新および視聴者が選択したコンテンツのＵＲＬへリンクを張るシステムサーバ類であり、２３１はインターネット上に存在する映像や音楽コンテンツをクローラ（Ｃｒａｗｌｅｒ）を用いて自動検索し、該コンテンツに含まれる複数のキーワードから該コンテンツを代表する範疇を自動分類する機能を有するＵＲＬサーバである。２３２は例えば３×３程度の数に論理的に区画したマルチスクリーン画面の表示機能を有する検証・監視用表示装置，２３３はＵＲＬサーバで収集したＵＲＬを分類・登録・更新するＵＲＬ分類・登録・更新端末であり，ＵＲＬサーバ２３１は、該自動分類された範疇毎に連続的に該コンテンツをスキャンし、３×３程度の数に論理的に区画したマルチスクリーン画面を有する検証・監視用表示装置２３２へ同時並列的に逐次表示して、該コンテンツが優良か否かをジャッジする人間に短時間で判断を促す。【００１７】  ジャッジする人間は、年少者が閲覧する上で優良と判断したコンテンツについて該コンテンツが収納されるべきカテゴリを先のキーワードを参考にして自動または人手アシストにより決定の上、ＵＲＬ分類・登録・更新端末２３３を用いて階層的カテゴリ情報の作成を完了させ、該コンテンツの階層化ホワイトリスト１をＵＲＬサーバ２３１へ蓄積する。【００１８】  ２４は視聴者がインターネット２１を介してＵＲＬサーバ２３１にアクセスし、階層化ホワイトリスト１を利用してウェブサイト２２からコンテンツを導き出して、該コンテンツを視聴するための視聴者端末群である。視聴者端末群２４には視聴者端末２４１、２４２、２４３が含まれている。【００１９】  以上により、予めインターネット上の映像や音楽コンテンツを自動的に検索して、複数のキーワードから該コンテンツを代表する範疇を自動分類し、該自動分類された範疇毎に連続的に該コンテンツを表示する機能を設け、マルチスクリーン上に逐次呈示されるコンテンツの映像などをジャッジする人間に優良か否かの判断を求める仕組みを設け、その結果、優良と判断されたコンテンツのＵＲＬを抽出し、該ＵＲＬを範疇ごとに分類したホワイトリストを作成する仕組みを設け、該ホワイトリストを格納してインターネット上に発信するＵＲＬサーバを構成し、一方、一般ユーザは、自己のパソコンやパソコン相当の機能を包含するお茶の間の大型テレビ内にインターネット検索するブラウザを有し、該ブラウザは、ＵＲＬサーバを検索して、映像や音楽コンテンツを代表する大分類の範疇を表示させ、該大分類の範疇をクリックすることにより特定の範疇を選択し、続いて該特定の範疇に属する中分類の範疇を表示させ、これを繰返すことにより最終的な優良ＵＲＬに到達し、該ＵＲＬのコンテンツを閲覧することができる。【００２０】  図３は通常のパソコンまたは家庭のお茶の間に置かれる大型テレビをディスプレイにしたテレビ用パソコンから構成される視聴者端末２４にインストールしたブラウザの表示エリアの構成例である。３１は範疇分けした番組メニューを表示するエリアの全体を示している。３２は提供名メニュー，タイトル名メニューの表示およびコンテンツを表示する基本サイズの表示エリア，３３，３４，３５，３６は付加的な表示エリアで、使用法の例としては、ブラウザ画面の操作法の説明や番組メニュー画面を前進、後退させるなど操作の補助情報の表示，およびＵＲＬサーバ２３１からの表示サイズ指定情報にしたがってブラウザ側で前記基本サイズの表示エリアのサイズを拡大、縮小するなどの変更をする場合に使う表示エリアである。【００２１】  図３の表示エリアの内，表示エリア３１のサイズはパソコンおよびテレビの画面表示能力に応じてブラウザにより決定され，付加表示エリア３２，３３，３４，３５，３６はＵＲＬサーバ２３１から送られる表示サイズ指定情報で制御される。例えば標準的なコンテンツであればＵＲＬサーバ２３１から表示エリア３２のサイズの表示サイズ指定情報を，また大きなサイズで表示したい場合には表示エリア３４，３５，３６を使う旨の表示サイズ指定情報を視聴者端末２４に送ることによって表示エリアを可変にすることができる。【００２２】  図４は視聴者端末２４に表示される階層的なホワイトリスト１に従った番組メニューの表示実施例であり，４１は番組を１６個の範疇に分けて第１階層で表示する範疇名メニュー，４２は第１階層の番組メニューを一つ選択した場合の例として、「映画・ドラマ」を選択した場合に表示される第２階層の提供名メニュー，４３は一つの提供名である「Ｘ映画」を選択した場合に表示されるタイトル名メニューである。【００２３】  図５は検証・監視用表示装置２３２の画面例を示す図である。前述のように、３×３の区画に論理的に区分された監視画面５１である。監視画面５１の９個の区画は、同じ要素を持っており、画像を小さく表示する監視・検証用小画面５１１および該監視・検証用小画面５１１に表示中のコンテンツの属性を表示する属性表示用小画面５１２が対をなして９個並んでいる。既に階層化ホワイトリスト１に登録されてい��ＵＲＬのコンテンツを並行して自動表示し、階層化ホワイトリスト１への登録時のコンテンツと大幅な変更がないことを属性表示用小画面５１２の情報から判断する。もしＵＲＬを検索し、コンテンツを検証のためにダウンロードしている段階で既に該ＵＲＬが廃棄されていた場合には、コンテンツを表示できないので、該監視・検証用小画面５１１にはコンテンツの表示が行われず、属性表示用小画面５１２には、「該当のコンテンツは廃棄されました」と自動表示される。コンテンツが廃棄された場合、一般の視聴者が視聴者端末２４を利用して、該視聴者端末２４に表示される階層的なホワイトリスト１に従った番組メニュー選択を行うと、コンテンツが表示されないので、不満を感じることになる。実際には、「該当のコンテンツは廃棄されました」と属性表示用小画面５１２に自動表示されたコンテンツについては、ホワイトリスト１を別のコンテンツに差し替えて、視聴者のこのような不満を回避することが行われる。このようにして、コンテンツの適正性をジャッジする人は、図５の画面から最新情報を把握し、ホワイトリスト１のメンテナンスを効率的に実施することができる。【００２４】  他方、ＵＲＬサーバ２３１に新規のＵＲＬを登録する場合について説明する。新規登録は、ＵＲＬ分類・登録・更新端末２３３から２つの方法で行われる。一つは、既存のポータルサイトの検索エンジンを呼出し、キーワードを入力して、映像・音楽コンテンツを発信しているウェブサイトを人手で絞り込む。絞り込まれたサイトがポータルサイトで、多数のコンテンツを収録している場合は、それらのコンテンツを検証・監視用表示装置２３２の監視画面５１を利用して（９個の画面に表示して）新規登録にふさわしい優良コンテンツを選び出す。それらの優良コンテンツをＵＲＬ分類・登録・更新端末２３３において範疇に分けて、階層化したホワイトリスト１にＵＲＬなどの情報を追加することでＵＲＬサーバ２３１に登録する。【００２５】  具体的には、図２のシステム構成例において，インターネット２１に接続されたウェブサイト監視・登録・更新端末２３２からウェブサイト２２を検索して階層化したホワイトリスト１の範疇名リスト１１の一つに該当する，例えば映画のコンテンツを探し出し，内容が優良であれば，インターネット２１を介してＵＲＬサーバ２３１に接続して，例えば提供元である「Ｘ映画」との名称を提供名リスト１２に入力し，さらに該コンテンツのタイトル名，例えば「ＡＡＡ」をタイトル名リスト１３に入力すると共にＵＲＬリスト１４にＵＲＬ情報の，例えば「ｗｗｗ．ａａａ．ｃｏｍ」を，また該コンテンツの適正表示サイズを判断して，例えば表示サイズが基本のサイズよりも大きなサイズが適切であり，例えば基本エリア３２に表示エリア３４，３５，３６を加えたサイズを指定する情報として表示エリア３２，３４，３５，３６を表示エリアリスト１５に入力する。さらに提供元である「Ｘ映画」のところに他の優良な内容のコンテンツがあれば「ＢＢＢ」をタイトル名リスト１３に，ＵＲＬリスト１４に「ｗｗｗ．ｂｂｂ．ｃｏｍ」を，また表示エリアリスト１５に表示エリアの情報を入力する。このような操作を繰り返してサーバ２３２のホワイトリスト１に情���を入力・登録するようにする。【００２６】  もう一つの方法は、今述べた方法と比較すると、やや自動処理を強めた方法である。ＵＲＬ分類・登録・更新端末２３３からＵＲＬサーバ２３１内のクローラ（Ｃｒａｗｌｅｒ）を起動して、ウェブサイトをスキャンし、収集してきたＵＲＬのサイトの情報の中から、ホワイトリスト１の階層化されたキーワードを含むか否か、およびホワイトリスト１のキーワードとの一致性の度合いをウェブサイトの記述を分析して判別し、それらの情報と共にトップページを検証・監視用表示装置２３２に表示する。その表示方法は、図５の９画面では細かくて見づらいので、少し表示面積を大きくとり、２×２程度の区画のマルチスクリーンにウェブサイト自体とその分析データを同時並列的に自動表示し、必要な場合には該ウェブサイトとインタラクティブに交信して、該ウェブサイトが優良か否かをジャッジし、優良と判断したコンテンツについて該コンテンツが収納されるべきカテゴリを先のキーワードを参考にして自動または人手アシストにより決定の上、ＵＲＬ分類・登録・更新端末２３３を用いてホワイトリスト１の作成に必要な階層的カテゴリ情報の作成を完了させ、該コンテンツのＵＲＬ等の情報をＵＲＬサーバ２３１のホワイトリスト１に登録処理する。ホワイトリスト１に情報登録する仕方は前述（［００２３］）と同一の手法を用いればよい。【００２７】  次に、階層化したホワイトリスト１に登録済のウェブサイトのうち、過去には優良と判断できたサイトが、優良でないコンテンツへ改変されていたり、別の範疇に内容が変更されている場合の対処法について説明する。このような場合、ホワイトリスト１の前回調査時の範疇から今回は別の範疇への収容替えや該コンテンツをリストから削除するなどを要することになる。ここでは、そのような登録済のコンテンツの改廃について述べる。【００２８】  図２において、ＵＲＬサーバ２３１内の階層化したホワイトリスト１に格納されたＵＲＬのコンテンツを定期的にスキャンして取出し、検証・監視用表示装置２３２に表示し、閲覧する。その際、全文検索のソフトがＵＲＬサーバ２３１において自動起動され、該コンテンツに含まれるキーワードやその他の用語が出現する頻度を多い順に分析され、検証・監視用表示装置２３２に表示される。【００２９】  図６は、この様子を示す図である。頻度データベース６１は、ＵＲＬサーバ２３１内に置かれている。頻度データベース６１はホワイトリスト１内にあるウェブサイトのＵＲＬごとに個別ＵＲＬデータ６１１、６１２、・・・のように対応して設けられている。一つの個別ＵＲＬデータ（例えば個別ＵＲＬデータ６１１）の内部を詳細に見ると、個別ＵＲＬデータ６１１はｗｗｗ．ａａａ．ｃｏｍのコンテンツ内の用語出現頻度を示しており、頻度が高い順に「はる」、「さくら」、「すみれ」などが並んでいる。しかも、コンテンツ改廃の調査を行った前回と今回で、出現頻度に変化がなく、時間を経て調査してもコンテンツが書換えられていないことを示している。なお、ＵＲＬのｗｗｗ．ａａａ．ｃｏｍの下に記されている出現頻度（前回）や出現頻度（今回）という表現は、その右に書かれている頻度数（「はる」は２３、「さくら」は２１など）を説明するための注釈であって、実体は存在しなくて良い。次に、個別ＵＲＬデータ６１２を詳細に見ると、このデータはｗｗｗ．ｂｂｂ．ｃｏｍのコンテンツの用語出現頻度を表わし、頻度が高い順に「あき」、「こおろぎ」、「キリギリス」、「すずむし」、「もみじ」、「いちょう」の順に並んでいる。前回と今回の出現頻度は、多くの項目について変化しており、このコンテンツは前回から今回の間に書換えが行われたことを表わしている。このような場合、ＵＲＬサーバ２３１は、検証・監視用表示装置２３２にその旨の情報を表示して、ジャッジする人にホワイトリスト１への登録の組換えや削除の判断を求め、ジャッジする人はその対応を行わなければならない。【００３０】  以上のようにサーバ類２３は，日々階層化したホワイトリスト１に格納されたＵＲＬを上記のように自動検索と監視により優良性の継続的な確認と，廃止サイトや廃止ＵＲＬのホワイトリスト１からの削除，ホワイトリスト１への未登録の優良新設サイトのＵＲＬの収集・格納・追加登録を日々行い，優良な番組の提供を維持・継続する。【００３１】  このような条件のもとで，視聴者がインターネットに接続されたパソコンまたはお茶の間のテレビをディスプレイにしたテレビ用パソコンから構成される視聴者端末２４，例えば視聴者端末２４１の電源を入れるとインストールされたブラウザで記憶されている初期メニューの範疇名メニュー４１がパソコン画面またはテレビ画面の表示エリア３１に表示される。この範疇名メニュー４１の中から視聴者端末２４に付属しているエアーマウスなどのポインティングデバイスによって，例えば範疇名の「映画・ドラマ」が選択されると該選択情報がインターネット２１を介してＵＲＬサーバ２３１に送られ，ＵＲＬサーバ２３１はホワイトリスト１の提供名リスト１２を読み出して，例えば表示エリア３２のサイズに合うように表示サイズ指定情報を入れた提供名メニュー４２の表示情報を作成してインターネット２１を介して該表示情報を視聴者端末２４１に送る。これによって提供名メニュー４２が視聴者端末２４１に表示される。【００３２】  つづいて提供名メニュー４２の中から，例えば提供名の「Ｘ映画」が選択されると該選択情報がインターネット２１を介してＵＲＬサーバ２３１に送られ，ＵＲＬサーバ２３１は階層化ホワイトリスト１のタイトル名リスト１３を読み出して，例えば表示エリア３２のサイズに合うように表示サイズ指定情報を入れたタイトル名メニュー４２の表示情報を作成してインターネット２１を介して該表示情報を視聴者端末２４１に送る。これによってタイトル名メニュー４３が視聴者端末２４１に表示される。【００３３】  つづいてタイトル名メニュー４３の中から，例えばタイトル名の「ＡＡＡ」が選択されると該選択情報がインターネット２１を介してＵＲＬサーバ２３１に送られ，ＵＲＬサーバ２３１は，例えば表示エリア３２のサイズに合うように表示サイズ指定情報を送った後，ホワイトリスト１中のＵＲＬリスト１４の該当する「ｗｗｗ．ａａａ．ｃｏｍ」を読み出して該ＵＲＬのサイトにリンクする。これによって希望されたタイトル名のコンテンツがインターネット２１を介して視聴者端末２４１に送られ，表示される。【���０３４】  ここでＵＲＬサーバ２３１が図１の表示エリアリスト１５を参照して，例えば表示エリアリストに表示エリア３２，３４，３５，３６が記憶されている場合には，表示エリア３２に３４，３５，３６を加えた表示サイズ指定情報を送った後，ホワイトリスト１中のＵＲＬリスト１４の該当する「ｗｗｗ．ａａａ．ｃｏｍ」を読み出してリンクする。これによって希望されたタイトル名のコンテンツが表示エリア３２に３４，３５，３６を加えたサイズの表示エリアにコンテンツが表示されることになる。【００３５】  以上が動作である。【００３６】  従来のブラウザでは、表示エリアは，例えば図３の表示エリア３２のように一定の場所、一定の大きさであった。しかし本発明では、表示する情報に合わせて表示エリアを変更できるようにコンテンツを保有するＵＲＬにリンクする前にＵＲＬサーバ２３１から表示サイズ指定情報を視聴者端末２４に送るように制御することによって表示エリアをコンテンツに適切なサイズに可変にできることになる。また表示エリアのサイズとして表示エリア３２のサイズを表示サイズ指定情報として視聴者端末に送ることによって，他の表示エリア３４，３５，３６に表示情報の解説や使い方などを番組のコンテンツとは別に表示できることになる。
【図面の簡単な説明】
【００３７】
【図１】本発明のホワイトリストの構成例の図
【図２】同実現するためのシステム構成例の図
【図３】同ブラウザの表示エリアの構成例の図
【図４】同視聴者端末に表示される番組メニューの実施例の図
【図５】検証・監視用表示装置の画面例の図
【図６】頻度データベースの構成例の図
【符号の説明】
【００３８】    １  ホワイトリスト
１１  範疇名リスト
１２  提供名リスト
１３  タイトル名リスト
１４  ＵＲＬリスト
１５  表示エリアリスト
２１  インターネット
２２  ウェブサイト
２２１  サイト
２２２  サイト
２２３  サイト
２３  システムサーバ類
２３１  ＵＲＬサーバ
２３２  検証・監視用表示装置
２３３  ＵＲＬ分類・登録・更新端末
２４  視聴者端末
２４１  視聴者端末
２４２  視聴者端末
２４３  視聴者端末
３１  表示エリア
３２  表示エリア
３３  表示エリア
３４  表示エリア
３５  表示エリア
３６  表示エリア
４１  範疇名メニュー
４２  提供名メニュー
４３  タイトル名メニュー
５１  監視画面
５１１  監視・検証用小画面
５１２  属性表示用小画面
６１  頻度データベース
６１１  個別ＵＲＬデータ
６１２  個別ＵＲＬデータ
【図１】
2011060253.tif 000003
【図２】
2011060253.tif 000004
【図３】
2011060253.tif 000005
【図４】
2011060253.tif 000006
【図５】
2011060253.tif 000007
【図６】
2011060253.tif 000008